(57)【要約】【課題】  夏場においても暑苦しさを感じることなく着用することが出来るマスクの提供。【解決手段】  顔の口元から鼻にかけての領域を覆うマスク本体１は、表面生地２と内面生地３、及び両生地の間に挟み込まれる１枚ないし複数枚の保水シート４ａ，４ｂから成り、これら表面生地２、保水シート４ａ、４ｂ、及び内面シート３は重ね合わされて縫製され、そしてマスク本体１の両側には耳掛け紐を備えている。【選択図】    図１
0003231279.tif 000002
【実用新案登録請求の範囲】
【請求項１】
夏場においても涼しく着用することが出来るマスクであって、顔の口元から鼻にかけての領域を覆うマスク本体は、表面生地と内面生地、及び両生地の間に挟み込まれる１枚ないし複数枚の保水シートから成り、これら表面生地、保水シート、及び内面シートは重ね合わされて縫製され、そしてマスク本体の両側には耳掛け紐を備えたことを特徴とする保水機能を備えたマスク。
【請求項２】
上記表面生地として、ポリエステル生地又は綿生地を用いた請求項１記載の保水機能を備えたマスク。
【請求項３】
上記内面生地として、ポリエステル製のメッシュ生地を用いた請求項１、又は請求項２記載の保水機能を備えたマスク。
【請求項４】
上記保水シートとして、ポリエステル製の不織布を用いた請求項１、請求項２、又は請求項３記載の保水機能を備えたマスク。
【考案の詳細な説明】
【技術分野】
【０００１】
本考案は保水シートを有し、暑い夏場において着用しても暑苦しくなく、むしろ涼しく感じるマスクに関するものである。
【背景技術】
【０００２】
最近では新型コロナが全世界に流行し、このコロナウイルスに感染しないように、密閉・密集・密接の３密を避け、こまめに手洗いを行い、マスクを着用することが恒例化している。
マスクの着用は、寒い冬場では比較的し易いが、暑くなるとマスクをすることが苦痛になる。特に、外で力仕事をする場合には、マスクを着用すると息苦しく感じ、一段と厚さを感じる。
【０００３】
マスクは、着用した際に顔の正面に位置して口から鼻にかけての領域を覆うマスク本体と、マスク本体の両側に取り付けられて耳に掛け止めする為の耳かけ紐で構成している。
図２は従来の一般的なマスクを示す具体例であり、マスク本体（イ）は概略長方形の生地を複数枚重ね合わせて縫い付けされ、両側に取り付けられる耳掛け紐（ロ）、（ロ）は伸縮自在なゴムチューブなどで構成している。
【０００４】
また、顔の正面に位置するマスク本体と耳掛け紐とが、伸縮可能な同じ生地を用いて所定の形状に裁断して構成する場合もある。使用される生地は色々あるが、マスク本体として使われる生地が如何様であっても、暑い時期でのマスクの着用には苦痛を感じる。従来から色々なマスクが市販され、特に最近の新型コロナの影響により、感染防止効果に優れたマスクが考案されている。
【０００５】
実用新案登録第３１８７７５５号に係る「再利用可能なマスク」は、大気中を浮遊する微小粒子状物質を捕集する機能を有し、洗濯することによって再利用可能としている。
すなわち、超極細繊維により織り込まれた生地によって鼻および口を覆うマスク本体部と、上記マスク本体部を顔面に装着させる装着部とを備える。上記超極細繊維はマイクロファイバーまたはナノファイバーであり、太さが１マイクロメートル以下としている。
【０００６】
実用新案登録第３１９０８５８号に係る「フェイスマスク」は、コロナ感染防止を目的としたものではないが、女性の年齢や疲れなどにより、たるんできたフェイスラインを、保湿加工の素材で包み込みフィット性、さらにリフトアップ性を持つフェイスマスクであり、使い捨てではなく洗濯して繰り返し使うことを可能としている。
そこで、フェイスマスクのマスク本体の内側に保湿加工の素材を使用し、個人に合わせて、耳掛部に連結されたゴムベルトの長さをアジャスターによって調節できるものとしている。また、保湿加工生地の内側にパワーネットを付け、ゴムベルトで調節して引き上げることにより、顎から頬にかけてのフィット感がえられ、さらにリフトアップ性を有している。
【０００７】
【特許文献１】実用新案登録第３１８７７５５号に係る「再利用可能なマスク」
【特許文献２】実用新案登録第３１９０８５８号に係る「フェイスマスク」
【考案の開示】
【考案が解決しようとする課題】
【０００８】
このように、コロナ感染防止の為に色々なマスクが知られているが、何れのマスクも暑い夏場では着用しにくいといった問題がある。本考案が解決しようとする課題はこの問題点であり、夏場であっても気化熱の効果を利用して暑さを感じることなく着用することができるように、保水機能を備えたマスクを提供する。
【課題を解決するための手段】
【０００９】
本考案に係るマスクは水に浸すことで保水し、その為に保水した状態で着用することが出来る。マスク本体は表面生地と内面生地、そして保水シートを有している。
ここで、上記表面生地、及び内面生地の具体的な種類は限定されず、また、保水シートの具体的な生地質並びに構造は限定しない。そして、保水シートは表面生地と内面生地の間に挟持され、保水シートの枚数は１枚ないし複数枚としている。
【００１０】
表面生地、内面生地、及び両生地の間に挟まれる保水シートは重ね合わされて縁部が縫い合わされてマスク本体となる。ただし、上記内面生地は水に濡れてもベタ付くことなく、サラサラした感触が得られる生地質を有している。
そして、マスク本体の両側には耳掛け紐が設けられて耳に掛けて着用することが出来るが、該耳掛け紐はマスク本体とは別部材として構成する場合、又はマスク本体から連続して一体的に形成する場合の何れでも構わない。
【考案の効果】
【００１１】
本考案のマスクは保水シートを備え、その為にマスクを水に浸すならば保水シートは水を含み、その為に暑い夏場であっても該マスクを着用することが出来、比較的涼しく感じる。すなわち、保水シートに含まれている水分は蒸発するが、その際に気化熱が奪われ、マスクを着用することで、この気化熱によって涼しく感じることが出来る。したがって、暑い日であっても外での肉体労働に耐えることが出来る。
勿論、水分を含んだ保水シートはウイルスを遮蔽し、その効果は大きい。
【図面の簡単な説明】
【００１２】
【図１】本考案のマスクを構成するマスク本体の展開図を示す実施例。
【図２】顔肌から熱が奪われて、気化（蒸発）する状態を示す模式図。
【図３】従来の一般的なマスク。
【考案を実施するための形態】
【００１３】
図１は本考案に係るマスクを構成するマスク本体１の展開図を表している。同図に示すマスク本体１は４層構造を有し、正面側には表面生地２、裏面側には内面生地３が、そして、表面生地２と内面生地３の間には２枚の保水シート４ａ，４ｂが介在し、互いに重なり合った４層構造を構成している。
図１は展開図であって、４層構造を成す表面生地２、保水シート４ａ，４ｂ、及び内面生地３が互いに分離している状態であるが、これらの縁部は縫い合わされてマスク本体１が構成される。
【００１４】
同図では耳かけ紐は表示されていないが、マスク本体１の両側に耳掛け紐が縫い付けられる。また、耳掛け紐をマスク本体１から連続して延びる生地で構成する場合もある。
例えば、表面生地２を伸縮する生地で構成する場合、該表面生地２の両側から連続して耳掛け紐を延ばして構成することも出来る。
すなわち、耳掛け紐を有す形状に表面生地２を裁断し、該表面生地２に保水シート４ａ，４ｂ及び内面生地３を重ね合わせて縫い付ける構造とすることも可能である。
【００１５】
ところで、上記マスク本体１を構成する表面生地２、内面生地３の具体的な生地質、及び保水シート４ａ，４ｂの具体的なシートの種類は限定しない。
例えば、表面生地２であればポリエステル生地を使用することが出来、該ポリエステル生地はシワに成りにくく、速乾性、耐候性があり、軽くて耐久性にも優れている。
一方、表面生地２として綿生地を用いることもできる。
【００１６】
また、内面生地３としてはポリエステル製のメッシュ生地が採用され、その為に、水に浸して濡れてもベタ付かず、サラサラした感触が得られ、通気性に優れている。
一方、保水シート４ａ，４ｂとしては、ポリエステルの不織布が使用され、水に浸すならば水分が保水されて、ヒンヤリ感が持続する。
ここでは、２枚の保水シート４ａ，４ｂを用いているが、３枚とすることもあり、時には１枚の保水シート４を表面生地２と内面生地３の間に挟み込んで構成することも出来る。ただし、保水シート４が１枚であれば、保水される水分量が少なくてヒンヤリ感の持続時間が短くなる。その為に、一般には２枚以上の保水シート４ａ，４ｂが使用される。
【００１７】
一般的な保水シート４は市販もされており、市販されている保水シート４を適当なサイズ及び形状に裁断し、これを縫製して作ることが出来る。
図２はマスクを着用した場合に、顔から熱を奪って気化する場合の状態を表している模式図である。マスクに含まれている水分が蒸発するに際して気化熱を奪い、その為に、顔肌から熱が吸収されて涼しく感じることが出来る。
【００１８】
マスク本体１は比較的分厚い保水シート４を有し、保水シート４には水に浸すことで水分が含まれている。この水分は表面生地２から↑に示すように気化（蒸発）するが、気化に際して、↑のように内面生地３を介して顔肌５から熱が吸収される。内面生地３はメッシュ生地としていることで、→方向に空気が流れ、周囲の熱が奪われ、暑い日であっても比較的涼しく感じることが出来る。
【符号の説明】
【００１９】
１   マスク本体
２   表面生地
３   内面生地
４   保水シート
５   顔肌
【図１】
0003231279.tif 000003
【図２】
0003231279.tif 000004
【図３】
0003231279.tif 000005